(57)【要約】【課題】視聴時の時刻を映像に合うデザインで映像内に表示できるようにする。【解決手段】テレビジョン放送システム１では、放送装置２によってテレビジョン番組の放送時に本映像データＤＭに時刻映像データＤＴを付加した付加映像データＤＡを放送し、テレビジョン装置３によって当該テレビジョン番組を表示する際に本映像データＤＭを用いて作成した本映像ＶＭに対し時刻映像データＤＴと現時刻とを基に作成した現時刻映像ＶＰを重畳した合成映像ＶＣを表示することにより、時刻映像データＤＴに基づくデザインでなり、且つ現時刻に基づいた正しい時刻を表す現時刻映像ＶＰを本映像ＶＭ上に重畳して表示することができる。【選択図】図２
2009049768.tif 000002
【特許請求の範囲】
【請求項１】
時刻以外の映像でなる本映像が符号化された本映像データに対し、時刻を表す時刻映像を作成するための時刻映像データを付加した付加映像データを作成する付加部と、
上記付加映像データを所定の映像表示装置へ供給することにより、当該取得装置により当該付加映像データの上記本映像データに基づいた上記本映像に対し当該付加映像データの上記時刻映像データに基づいた時刻映像を重畳し所定の表示部に表示させる供給部と
を具えることを特徴とする映像データ供給装置。
【請求項２】
上記付加部は、上記本映像データに対し複数種類の上記時刻映像データを付加する
ことを特徴とする請求項１に記載の映像データ供給装置。
【請求項３】
上記付加部は、上記本映像データに対し、時間帯ごとに上記時刻映像データの種類を割り当てた種類割当データを付加する
ことを特徴とする請求項２に記載の映像データ供給装置。
【請求項４】
上記付加部は、上記本映像に対する上記時刻映像の表示位置を示す表示位置データを付加する
ことを特徴とする請求項１に記載の映像データ供給装置。
【請求項５】
上記供給部は、
上記付加映像データを放送波として上記取得装置へ送信することにより、上記取得装置に当該付加映像データを受信させる
ことを特徴とする請求項１に記載の映像データ供給装置。
【請求項６】
上記供給部は、
インターネット網を介して上記付加映像データを上記取得装置へ送信することにより、上記取得装置に当該付加映像データを受信させる
ことを特徴とする請求項１に記載の映像データ供給装置。
【請求項７】
上記供給部は、
上記付加映像データを所定の記録媒体に記録することにより、当該記録媒体が装填された上記取得装置に当該付加映像データを読み出させる
ことを特徴とする請求項１に記載の映像データ供給装置。
【請求項８】
時刻以外の映像でなる本映像が符号化された本映像データに対し、時刻を表す時刻映像を作成するための時刻映像データを付加した付加映像データを作成する付加ステップと、
上記付加映像データを所定の映像表示装置へ供給することにより、当該取得装置により当該付加映像データの上記本映像データに基づいた上記本映像に対し当該付加映像データの上記時刻映像データに基づいた時刻映像を重畳し所定の表示部に表示させる供給ステップと
を具えることを特徴とする映像データ供給方法。
【請求項９】
情報処理装置に対して、
時刻以外の映像でなる本映像が符号化された本映像データに対し、時刻を表す時刻映像を作成するための時刻映像データを付加した付加映像データを作成する付加ステップと、
上記付加映像データを所定の映像表示装置へ供給することにより、当該取得装置により当該付加映像データの上記本映像データに基づいた上記本映像に対し当該付加映像データの上記時刻映像データに基づいた時刻映像を重畳し所定の表示部に表示させる供給ステップと
を実行させることを特徴とする映像データ供給プログラム。
【請求項１０】
時刻以外の映像でなる本映像が符号化された本映像データに対し時刻を表す時刻映像を作成するための時刻映像データが付加された付加映像データ受信し、所定の記憶手段に記憶させる受信部と、
上記記憶部から上記付加映像データを読み出して送信することにより、所定の映像表示装置により当該付加映像データを受信させると共に当該付加映像データの上記本映像データに基づいた上記本映像に対し当該付加映像データの上記時刻映像データに基づいた時刻映像を重畳し所定の表示部に表示させる送信部と
を具えることを特徴とする映像データ中継装置。
【請求項１１】
時刻以外の映像でなる本映像を表す本映像データに対し、時刻を表す時刻映像を作成するための時刻映像データが付加された付加映像データを外部から取得する取得部と、
上記付加映像データから上記時刻映像データを抽出し所定の記憶部に記憶させる抽出部と、
現時刻を取得する時刻取得部と、
上記時刻映像データを用い上記現時刻に基づいた現時刻映像を作成する現時刻映像作成部と、
上記送信映像データから上記本映像データを抽出し上記本映像を作成する本映像作成部と、
上記本映像と上記現時刻映像とを合成することにより合成映像を作成する映像合成処理部と、
上記合成映像を所定の表示部に表示させる表示処理部と
を具えることを特徴とする映像表示装置。
【請求項１２】
上記付加映像データは、
時間帯ごとに上記時刻映像データの種類を割り当てた種類割当データが付加され、
上記現時刻映像作成部は、
上記種類割当データに従い上記現在時刻に応じた種類の上記時刻映像データを選択すると共に、当該時刻映像データに基づき上記現時刻映像を作成する
ことを特徴とする請求項１１に記載の映像表示装置。
【請求項１３】
上記付加映像データは、
複数種類の上記時刻映像データが付加され、
上記時刻映像作成部は、
複数種類の上記時刻映像データから選択された上記時刻映像データに基づき上記現時刻映像を作成する
ことを特徴とする請求項１２に記載の映像表示装置。
【請求項１４】
上記付加映像データは、
上記本映像に対する上記時刻映像の表示位置を示す表示位置データが付加され、
上記重畳処理部は、
上記本映像に対し、上記時刻映像を上記表示位置データに基づく表示位置に重畳する
ことを特徴とする請求項１１に記載の映像表示装置。
【請求項１５】
上記取得部は、
所定の供給装置により上記付加映像データが変調され送信される放送波を受信することにより上記付加映像データを取得する
ことを特徴とする請求項１１に記載の映像表示装置。
【請求項１６】
上記取得部は、
所定の供給装置によりインターネット網を介して送信される上記付加映像データを受信する
ことを特徴とする請求項１１に記載の映像表示装置。
【請求項１７】
上記取得部は、
所定の供給装置により予め上記付加映像データが記録された所定の記録媒体から読み出すことにより当該付加映像データを取得する
ことを特徴とする請求項１１に記載の映像表示装置。
【請求項１８】
時刻以外の映像でなる本映像を表す本映像データに対し、時刻を表す時刻映像を作成するための時刻映像データが付加された付加映像データを外部から取得する取得ステップと、
上記付加映像データから上記時刻映像データを抽出し所定の記憶部に記憶させる抽出ステップと、
現時刻を取得する時刻取得ステップと、
上記時刻映像データを用い上記現時刻に基づいた現時刻映像を作成する現時刻映像作成ステップと、
上記送信映像データから上記本映像データを抽出し上記本映像を作成する本映像作成ステップと、
上記本映像と上記現時刻映像とを合成することにより合成映像を作成する映像合成処理ステップと、
上記合成映像を所定の表示部に表示させる表示処理ステップと
を具えることを特徴とする映像表示方法。
【請求項１９】
情報処理装置に対し、
時刻以外の映像でなる本映像を表す本映像データに対し、時刻を表す時刻映像を作成するための時刻映像データが付加された付加映像データを外部から取得する取得ステップと、
上記付加映像データから上記時刻映像データを抽出し所定の記憶部に記憶させる抽出ステップと、
現時刻を取得する時刻取得ステップと、
上記時刻映像データを用い上記現時刻に基づいた現時刻映像を作成する現時刻映像作成ステップと、
上記送信映像データから上記本映像データを抽出し上記本映像を作成する本映像作成ステップと、
上記本映像と上記現時刻映像とを合成することにより合成映像を作成する映像合成処理ステップと、
上記合成映像を所定の表示部に表示させる表示処理ステップと
を実行させることを特徴とする映像表示プログラム。
【発明の詳細な説明】
【技術分野】
【０００１】
本発明は映像データ供給装置、映像データ供給方法及び映像データ供給プログラム、映像データ中継装置、並びに映像表示装置、映像表示方法及び映像表示プログラムに関し、例えばビデオレコーダに適用して好適なものである。
【背景技術】
【０００２】
従来、ビデオレコーダにおいては、例えばテレビジョン放送局から放送されるテレビジョン番組を受信し、ハードディスクドライブ等の記録媒体に映像データとして記録し得ると共に、ユーザの操作等に応じて任意の時刻に当該映像データを再生し得るようになされたものが広く普及している。
【０００３】
一方、テレビジョン番組のなかには、特に朝の時間帯などにおいて、画面の一部（例えば左上等）に時刻を表示することにより、時計代わりに用いられることを想定したものが放送されているものがある。
【０００４】
ビデオレコーダは、このように時刻が表示されたテレビジョン番組が記録され、後から再生される場合、記録された映像の一部として画面上に過去の時刻を表示することになるため、ユーザに時刻を誤認識させてしまう恐れがある。
【０００５】
そこでビデオレコーダ（映像再生装置）のなかには、時刻が表示されたテレビジョン番組を再生する際、映像中の時刻を隠蔽すると共に現在時刻を代替表示するようになされたものが提案されている（例えば、特許文献１参照）。
【特許文献１】特開２００１−２９２４２２公報（第５図）
【発明の開示】
【発明が解決しようとする課題】
【０００６】
ところで時刻が表示されたテレビジョン番組のなかには、画面上に表示される時刻の数字が一般的なゴシック体等でなく、当該テレビジョン番組の内容等に合わせて独自にデザインされ、これにより独自の雰囲気を演出し得るよう考慮されている場合がある。
【０００７】
しかしながら上述したビデオレコーダは、このようなテレビジョン番組の場合であっても、内蔵するフォント等を用いて代替表示用の時刻映像を作成するため、テレビジョン番組用に独自に作成された数字のデザイン等を用いることができず、テレビジョン番組本来の雰囲気を崩してしまうという問題があった。
【０００８】
本発明は以上の点を考慮してなされたもので、視聴時の時刻を映像に合うデザインで映像内に表示し得るような映像データを供給し得る映像データ供給装置、映像データ供給方法及び映像データ供給プログラム、並びに視聴時の時刻を映像に合うデザインで映像内に表示し得るような映像データを中継し得る映像データ中継装置、並びに視聴時の時刻を映像に合うデザインで映像内に表示し得る映像表示装置、映像表示方法及び映像表示プログラムを提案しようとするものである。
【課題を解決するための手段】
【０００９】
かかる課題を解決するため本発明の映像データ送信装置、映像データ送信方法及び映像データ送信プログラムにおいては、時刻以外の映像でなる本映像が符号化された本映像データに対し、時刻を表す時刻映像を作成するための時刻映像データを付加した付加映像データを作成する付加部と、付加映像データを所定の映像表示装置へ供給することにより、当該取得装置により当該付加映像データの本映像データに基づいた本映像に対し当該付加映像データの時刻映像データに基づいた時刻映像を重畳し所定の表示部に表示させるようにした。
【００１０】
これにより、付加映像データを取得した映像表示装置に対し、当該付加映像データに含まれる時刻映像データを用いて、本映像との組み合わせが意図されている時刻映像を作成させることができる。
【００１１】
また本発明の映像データ中継装置においては、時刻以外の映像でなる本映像が符号化された本映像データに対し時刻を表す時刻映像を作成するための時刻映像データが付加された付加映像データ受信し、所定の記憶手段に記憶させる受信部と、記憶部から付加映像データを読み出して送信することにより、所定の映像表示装置により当該付加映像データを受信させると共に当該付加映像データの本映像データに基づいた本映像に対し当該付加映像データの時刻映像データに基づいた時刻映像を重畳し所定の表示部に表示させる送信部とを設けるようにした。
【００１２】
これにより、付加映像データを取得した映像表示装置に対し、当該付加映像データに含まれる時刻映像データを用いて、本映像との組み合わせが意図されている時刻映像を作成させることができる。
【００１３】
さらに本発明の映像データ取得装置においては、時刻以外の映像でなる本映像を表す本映像データに対し、時刻を表す時刻映像を作成するための時刻映像データが付加された付加映像データを外部から取得し、付加映像データから時刻映像データを抽出し所定の記憶部に記憶させ、現時刻を取得し、時刻映像データを用い現時刻に基づいた現時刻映像を作成し、送信映像データから本映像データを抽出し本映像を作成し、本映像と現時刻映像とを合成することにより合成映像を作成し、合成映像を所定の表示部に表示させるようにした。
【００１４】
これにより、本映像との組み合わせが意図され、且つ表示時の時刻を正確に表す時刻映像を作成し当該本映像に重畳することができる。
【発明の効果】
【００１５】
本発明によれば、付加映像データを取得した映像表示装置に対し、当該付加映像データに含まれる時刻映像データを用いて、本映像との組み合わせが意図されている時刻映像を作成させることができ、かくして視聴時の時刻を映像に合うデザインで映像内に表示し得るような映像データを供給し得る映像データ供給装置、映像データ供給方法及び映像データ供給プログラムを実現できる。
【００１６】
また本発明によれば、付加映像データを取得した映像表示装置に対し、当該付加映像データに含まれる時刻映像データを用いて、本映像との組み合わせが意図されている時刻映像を作成させることができ、かくして視聴時の時刻を映像に合うデザインで映像内に表示し得るような映像データを中継し得る映像データ中継装置を実現できる。
【００１７】
さらに本発明によれば、本映像との組み合わせが意図され、且つ表示時の時刻を正確に表す時刻映像を作成し当該本映像に重畳することができ、かくして視聴時の時刻を映像に合うデザインで映像内に表示し得る映像表示装置、映像表示方法及び映像表示プログラムを実現できる。
【発明を実施するための最良の形態】
【００１８】
以下、図面について、本発明の一実施の形態を詳述する。
【００１９】
（１）第１の実施の形態
（１−１）テレビジョン放送システムの構成
図１においてテレビジョン放送システム１は、テレビジョン放送局等に設置される映像データ供給装置としての放送装置２によりテレビジョン番組を放送波として放送し、一般家庭等に設置される映像表示装置としてのテレビジョン装置３やビデオレコーダ４によりこれを受信し、その映像をユーザに視聴させるようになされている。
【００２０】
放送装置２は、一般的な情報処理装置と一部類似した構成を有しており、ＣＰＵ（Central Processing Unit）構成でなる制御部１０により全体を統括制御するようになされている。この制御部１０は、図示しないＲＯＭ（Read Only Memory）から基本プログラムや時刻映像データ付加プログラム等の各種プログラムを読み出して実行することにより、各種機能を実現し得るようになされている。
【００２１】
映像処理回路１１は、外部の映像機器（図示せず）からテレビジョン番組を表す映像データの供給を受け、又は予め記憶装置（図示せず）に格納された映像データを読み出し、当該映像データを送信回路１２へ供給する。送信回路１２は、供給された映像データに対して所定の変調処理等を施し、これをアンテナ１３から放送波として放射する。
【００２２】
さらに放送装置２は、テレビジョン番組の映像内に時刻を表示する際に用いる時刻映像データを映像データと共に放送するようになされている（詳しくは後述する）。
【００２３】
テレビジョン装置３は、放送波を受信することによりテレビジョン番組の映像データを取得し、当該映像データに基づいた映像を表示するようになされている。
【００２４】
テレビジョン装置３は、放送装置２と同様、ＣＰＵ構成でなる制御部２０によりバス２１を介して全体を統括制御するようになされている。この制御部２０も、制御部１０と同様、図示しないＲＯＭから基本プログラムや映像表示プログラム等の各種プログラムを読み出して実行することにより、各種機能を実現するようになされている。
【００２５】
実際上、テレビジョン装置３は、操作部２２を介してチャンネル選局等のユーザによる操作を受け付け、アンテナ２３Ａを介して受信回路２３により放送波を受信し、これに所定の復調処理等を施すことにより映像データを抽出して、当該映像データを映像処理回路２４へ供給する。
【００２６】
映像処理回路２４は、映像データに対して所定の復号化処理等を施すことにより表示用の表示映像データを作成し、これを表示パネル２５へ供給する。表示パネル２５は、例えば液晶パネル等でなり、表示映像データに基づいた映像を表示する。
【００２７】
かかる構成に加えて制御部２０は、時計回路２６により現在の時刻（以下、現時刻と呼ぶ）を認識し、映像データと共に受信した時刻映像データを用いて当該現時刻を表す時刻映像を映像内に表示し得るようになされている（詳しくは後述する）。
【００２８】
一方、ビデオレコーダ４は、ユーザの操作等に基づき、放送波を受信することにより得られるテレビジョン番組の映像データを記録し、また当該映像データを再生して外部の映像表示装置５により表示させるようになされている。
【００２９】
ビデオレコーダ４は、テレビジョン装置３と一部類似した構成を有しており、ＣＰＵ構成でなる制御部３０によりバス３１を介して全体を統括制御するようになされている。この制御部３０は、テレビジョン装置３の制御部２０と同様、図示しないＲＯＭから基本プログラムや映像記録プログラム等の各種プログラムを読み出して実行することにより、各種機能を実現するようになされている。
【００３０】
操作部３２、アンテナ３３Ａ、受信回路３３及び映像処理回路３４は、テレビジョン装置３の操作部２２、アンテナ２３Ａ、受信回路２３及び映像処理回路２４とそれぞれ同様に構成されており、放送装置２からの放送波を受信し映像データを抽出するようになされている。
【００３１】
制御部３０は、テレビジョン番組の映像データを記録する場合、映像データを例えばハードディスクドライブでなる記憶部３５へ供給することにより当該映像データを記録させる。また制御部３０は、テレビジョン番組の映像データを再生する場合、記憶部３５から映像データを読み出して映像処理回路３４へ供給する。
【００３２】
映像処理回路３４は、映像処理回路２４と同様、映像データに対して所定の復号化処理等を施すことにより表示用の表示映像データを作成し、これを映像表示装置５へ供給する。映像表示装置５は、表示パネル２５と同様、表示映像データに基づいた映像を表示する。
【００３３】
また制御部３０は、時計回路２６と同様の時計回路３６により現時刻を認識し、当該現時刻を表す時刻映像を映像内に表示し得るようになされている（詳しくは後述する）。
【００３４】
（１−２）放送装置及びテレビジョン装置の機能構成
次に、テレビジョン放送システム１の放送装置２及びテレビジョン装置３について、現時刻を含む映像の表示に関する機能をブロック化すると、図２のように表すことができる。
【００３５】
因みに放送装置２内の各機能は、制御部１０、映像処理回路１１及び送信回路１２（図１）の組み合わせにより実現し、テレビジョン装置３内の各機能は、主に制御部２０、受信回路２３、映像処理回路２４、表示パネル２５及び時計回路２６の組み合わせにより実現している。
【００３６】
放送装置２の映像データ処理部４１（図２）は、外部機器又は記憶部（いずれも図示せず）からテレビジョン番組の映像を表す本映像データＤＭを取得し、これを付加処理部４２へ供給する。
【００３７】
ここで本映像データＤＭは、例えば図３（Ａ）に示すような、時刻以外の映像（以下、これを本映像ＶＭと呼ぶ）を表すデータとなっている。
【００３８】
また時刻映像データ処理部４３は、テレビジョン番組の映像内に時刻を表示する際に用いるための時刻映像データＤＴを管理しており、当該時刻映像データＤＴを付加処理部４２へ供給する。
【００３９】
時刻映像データＤＴは、例えば図３（Ｂ）に示すような、時刻を表示する際に用いられる数字や記号を表す時刻表示用映像ＶＴがデータ化されたものである。この時刻表示用映像ＶＴは、テレビジョン番組の映像内に（すなわち本映像に重ねて）表示することが考慮されている。
【００４０】
また時刻表示用映像ＶＴは、当該テレビジョン番組のロゴやマーク等と同様のデザイン又は対応するデザインとされることにより、テレビジョン番組全体としての統一感や独自の印象を視聴者に与え得るようになされている。
【００４１】
付加処理部４２は、本映像データＤＭに時刻映像データＤＴを付加することにより付加映像データＤＡを作成し、これを放送波によりテレビジョン装置３へ供給する。
【００４２】
因みに放送装置２は、テレビジョン番組に対し常に時刻映像データＤＴを付加する以外にも、例えば番組開始時や所定時間間隔（１０分間隔等）ごとに時刻映像データＤＴを付加し得るようにもなされている。付加処理部４２は、時刻映像データＤＴを付加しない場合、本映像データＤＭのみをそのまま付加映像データＤＡとするようになされている。
【００４３】
テレビジョン装置３の抽出処理部５１は、放送装置２から付加映像データＤＡを取得すると、当該付加映像データＤＡから本映像データＤＭを抽出し映像合成処理部５２へ供給する。また抽出処理部５１は、当該付加映像データＤＡから時刻映像データＤＴを抽出し時刻映像データ保存部５３へ供給する。時刻映像データ保存部５３は、当該時刻映像データＤＴを一時的に保存する。
【００４４】
一方、時計５５は、内部で現時刻を保持しており、所定の周期で現時刻を表す現時刻情報ＴＩを作成し、これを現時刻映像作成部５４へ供給する。現時刻映像作成部５４は、現時刻情報ＴＩを基に、現時刻の表示に用いる時刻映像データＤＴを時刻映像データ保存部５３から取得する。
【００４５】
続いて現時刻映像作成部５４は、図３（Ｃ）に示すように、時刻映像データＤＴを用いて現時刻を映像化した現時刻映像ＶＰを作成し、現時刻映像ＶＰを表す現時刻映像データＤＰを映像合成処理部５２へ供給する。
【００４６】
映像合成処理部５２は、まず本映像データＤＭに対し所定の復号化処理等を施すことにより本映像ＶＭを作成する。次に映像合成処理部５２は、図３（Ｄ）に示すように、本映像ＶＭに現時刻映像ＶＰを重畳したような合成映像ＶＣを作成し、当該合成映像ＶＣを表す合成映像データＤＣを映像表示部５６へ供給する。映像表示部５６は、合成映像データＤＣを基に合成映像ＶＣ（図３（Ｄ））を表示する。
【００４７】
この結果、テレビジョン装置３は、時計５５により保持されている現時刻に基づいた正しい時刻を表し、且つ時刻映像データＤＴに基づくデザインでなる現時刻映像ＶＰを本映像ＶＭ上に重畳して表示することができる。
【００４８】
（１−３）放送装置及びビデオレコーダの機能構成
次に、テレビジョン放送システム１の放送装置２及びビデオレコーダ４について、現時刻を含む映像の表示に関する機能をブロック化すると、図２との対応部分に同一符号を付した図４のように表すことができる。
【００４９】
ビデオレコーダ４内の各機能は主に制御部３０、映像処理回路３４、記憶部３５及び時計回路３６（図１）の組み合わせにより実現している。
【００５０】
ビデオレコーダ４によりテレビジョン番組の記録を行う場合、抽出処理部５１は、放送装置２から付加映像データＤＡを取得し、当該付加映像データＤＡから本映像データＤＭを抽出して映像信号処理部５７へ供給する。
【００５１】
映像信号処理部５７は、本映像データＤＭに対し符号化方式の変換処理等を行うことにより本映像保存データＤＳを作成し、これを映像保存メディア５８へ供給する。
【００５２】
また抽出処理部５１は、当該付加映像データＤＡから時刻映像データＤＴを抽出して映像保存メディア５８へ供給する。これに応じて映像保存メディア５８は、本映像保存データＤＳに時刻映像データＤＴを対応付けて保存する。
【００５３】
一方、ビデオレコーダ４によりテレビジョン番組の再生を行う場合、映像合成処理部５２は、映像保存メディア５８から本映像保存データＤＳを取得し、これに所定の復号化処理等を施すことにより本映像ＶＭを作成する。
【００５４】
時計５５は、テレビジョン装置３の場合と同様に内部で現時刻を保持しており、所定の周期で現時刻を表す現時刻情報ＴＩを作成し、これを現時刻映像作成部５４へ供給する。現時刻映像作成部５４は、現時刻情報ＴＩを基に、現時刻の表示に用いる時刻映像データＤＴを映像保存メディア５８から取得する。
【００５５】
続いて現時刻映像作成部５４は、時刻映像データＤＴを用いて現時刻を映像化した現時刻映像ＶＰ（図３（Ｃ））を作成し、現時刻映像ＶＰを表す現時刻映像データＤＰを映像合成処理部５２へ供給する。
【００５６】
映像合成処理部５２は、本映像ＶＭに現時刻映像ＶＰを重畳したような合成映像ＶＣ（図３（Ｄ））を作成し、当該合成映像ＶＣを表す合成映像データＤＣを映像表示部５６へ供給する。映像表示部５６は、合成映像データＤＣを基に合成映像ＶＣを表示する。
【００５７】
この結果、ビデオレコーダ４は、映像保存メディア５８に一度保存した本映像保存データＤＳ及び時刻映像データＤＴを用い、現時刻を表す現時刻映像ＶＰを本映像ＶＭ上に重畳して表示することができる。
【００５８】
このときビデオレコーダ４は、時計５５により保持されている現時刻を基に作成した現時刻映像ＶＰを映像内に表示することができるので、テレビジョン番組が放送された時刻と当該テレビジョン番組を再生する時刻との異同に拘わらず、正しい時刻を表すと共に時刻映像データＤＴに基づくデザインでなる現時刻映像ＶＰを映像内に表示することができる。
【００５９】
（１−４）映像データ供給処理及び映像表示処理
次に、放送装置２によりテレビジョン番組を付加映像データＤＡとして供給する際の映像データ供給処理手順について説明する。
【００６０】
放送装置２の制御部１０は、テレビジョン番組を放送する際、所定の映像データ供給プログラムが起動されることにより映像データ供給処理手順ＲＴ１（図５）を開始し、ステップＳＰ１へ移る。
【００６１】
ステップＳＰ１において制御部１０は、外部の映像機器や記憶部（いずれも図示せず）から本映像データＤＭを取得し、次のステップＳＰ２へ移る。ステップＳＰ２において制御部１０は、時刻映像データＤＴを取得し、次のステップＳＰ３へ移る。
【００６２】
ステップＳＰ３において制御部１０は、本映像データＤＭに時刻映像データＤＴを付加することにより付加映像データＤＡを作成し、次のステップＳＰ４へ移る。
【００６３】
ステップＳＰ４において制御部１０は、付加映像データＤＡを放送波として送信することにより当該付加映像データＤＡをテレビジョン装置３（図１）へ供給し、映像データ供給処理手順ＲＴ１を終了する。
【００６４】
続いて、テレビジョン装置３により付加映像データＤＡを取得し合成映像ＶＣとして表示する際の映像表示処理手順について説明する。テレビジョン装置３の制御部２０は、ユーザの操作等に基づきテレビジョン番組を受信する際、所定の映像表示プログラムが起動されることにより映像表示処理手順ＲＴ２（図６）を開始し、ステップＳＰ１１へ移る。
【００６５】
ステップＳＰ１１において制御部２０は、放送装置２からの放送波を受信して付加映像データＤＡを取得し、次のステップＳＰ１２へ移る。
【００６６】
ステップＳＰ１２において制御部２０は、付加映像データＤＡから本映像データＤＭを抽出し、当該本映像データＤＭを基に本映像ＶＭを作成して、次のステップＳＰ１３へ移る。
【００６７】
ステップＳＰ１３において制御部２０は、付加映像データＤＡに時刻映像データＤＴが付加されているか否かを判別する。ここで肯定結果が得られた場合、制御部２０は次のステップＳＰ１４へ移り、付加映像データＤＡから時刻映像データＤＴを抽出し、その次のステップＳＰ１５へ移る。
【００６８】
ステップＳＰ１５において制御部２０は、抽出した時刻映像データＤＴを記憶部３５（時刻映像データ保存部５３）の既存の時刻映像データＤＴと共に記憶し、又は既存の時刻映像データＤＴと置き換え、次のステップＳＰ１６へ移る。
【００６９】
一方、ステップＳＰ１３において否定結果が得られた場合、制御部２０は、記憶部３５に記憶している既存の時刻映像データＤＴを変更することなく、次のステップＳＰ１６へ移る。
【００７０】
ステップＳＰ１６において制御部２０は、記憶部３５から時刻映像データＤＴを読み出し、次のステップＳＰ１７へ移る。ステップＳＰ１７において制御部２０は、時計回路２６が保持する現時刻を取得し、次のステップＳＰ１８へ移る。
【００７１】
ステップＳＰ１８において制御部２０は、時刻映像データＤＴを用いて現時刻を表す現時刻映像ＶＰを作成し、次のステップＳＰ１９へ移る。ステップＳＰ１９において制御部２０は、本映像ＶＭに現時刻映像ＶＰを重畳した合成映像ＶＣを作成し、次のステップＳＰ２０へ移る。
【００７２】
ステップＳＰ２０において制御部２０は、合成映像ＶＣを表示パネル２５に表示させ、再度ステップＳＰ１１へ戻って一連の処理を繰り返す。
【００７３】
（１−５）動作及び効果
以上の構成において、テレビジョン放送システム１は、時刻の映像が含まれていない本映像データＤＭに時刻映像データＤＴを付加した付加映像データＤＡを放送装置２から放送し、これをテレビジョン装置３及びビデオレコーダ４により受信する。
【００７４】
テレビジョン装置３は、受信した付加映像データＤＡから抽出した時刻映像データＤＴと時計回路２６により保持している現時刻とを基に現時刻映像ＶＰを作成し、また付加映像データＤＡから抽出した本映像データＤＭを用いて本映像ＶＭを作成する。そしてテレビジョン装置３は、当該本映像ＶＭに当該現時刻映像ＶＰを重畳した合成映像ＶＣを作成し、当該合成映像ＶＣを表示パネル２５に表示する。
【００７５】
従ってテレビジョン装置３は、時刻映像データＤＴに基づくデザインでなり、且つ現時刻に基づいた正しい時刻を表す現時刻映像ＶＰを本映像ＶＭ上に重畳して表示することができる。
【００７６】
このときテレビジョン装置３は、時計回路２６により保持されている現時刻を基に現時刻映像ＶＰを作成するため、放送装置２内での符号化処理等における遅延や放送波が放送装置２により放送されテレビジョン装置３により受信されるまでの遅延、さらにはテレビジョン装置３内での復号化処理等における遅延などの影響を排除でき、正しい時刻を表す現時刻をユーザに視認させることができる。
【００７７】
特にテレビジョン装置３は、いわゆる電波時計の機能や、ＧＰＳ（Global Positioning System）衛星からの電波等を利用した時刻補正機能を利用すれば、極めて高精度な時刻をユーザに提供することができる。
【００７８】
またビデオレコーダ４は、テレビジョン番組を記録する際、受信した付加映像データＤＡから抽出した本映像データＤＭを本映像保存データＤＳに変換し、当該付加映像データＤＡから抽出した時刻映像データＤＴと共に記憶部３５に記録する。
【００７９】
ビデオレコーダ４は、記録済みのテレビジョン番組を再生する際、記憶部３５に記憶されている時刻映像データＤＴと時計回路２６により保持している現時刻とを基に現時刻映像ＶＰを作成すると共に、記憶部３５に記録されている本映像保存データＤＳを用いて本映像ＶＭを作成する。そしてビデオレコーダ４は、当該本映像ＶＭに当該現時刻映像ＶＰを重畳した合成映像ＶＣを作成し、当該合成映像ＶＣを外部の映像表示装置５に表示させる。
【００８０】
従ってビデオレコーダ４は、テレビジョン装置３と同様、時刻映像データＤＴに基づくデザインでなり、且つ現時刻に基づいた正しい時刻を表す現時刻映像ＶＰを本映像ＶＭ上に重畳して表示することができる。
【００８１】
このときビデオレコーダ４は、時計回路２６により保持されている現時刻を基に現時刻映像ＶＰを作成するため、テレビジョン番組が放送された時刻と再生される時刻とが異なっていたとしても、正しい時刻を表す現時刻をユーザに視認させることができる。
【００８２】
さらにテレビジョン装置３及びビデオレコーダ４は、時刻映像データＤＴを用いて現時刻映像ＶＰを作成するため、テレビジョン番組の制作者が意図したデザインにより現時刻を表すことができ、当該テレビジョン番組独自の雰囲気を阻害することなく正しい時刻を表示することができる。
【００８３】
このときテレビジョン装置３及びビデオレコーダ４は、本映像データＤＭに時刻を表す映像が当初より含まれていないことから、当該本映像データＤＭ内に時刻を表す映像がある場合における映像のぼかし、或いはマスク等の映像処理により映像を劣化させること無く、テレビジョン番組における正規の編集作業により重畳されたような高品位な合成映像ＶＣを表示することができる。
【００８４】
以上の構成によれば、テレビジョン放送システム１では、テレビジョン番組の放送時に本映像データＤＭに時刻映像データＤＴを付加した付加映像データＤＡを放送し、当該テレビジョン番組を表示する際に本映像データＤＭを用いて作成した本映像ＶＭに対し時刻映像データＤＴと現時刻とを基に作成した現時刻映像ＶＰを重畳した合成映像ＶＣを表示することにより、時刻映像データＤＴに基づくデザインでなり、且つ現時刻に基づいた正しい時刻を表す現時刻映像ＶＰを本映像ＶＭ上に重畳して表示することができる。
【００８５】
（２）第２の実施の形態
（２−１）テレビジョン放送システムの全体構成
図１との対応部分に同一符号を付して示す図７において、テレビジョン放送システム６０は、第１の実施の形態と同様の構成でなる映像データ供給装置としての放送装置２によりテレビジョン番組を放送波として放送し、第１の実施の形態におけるビデオレコーダ４と一部同様の構成を有するビデオレコーダ６４によりこれを受信するようになされている。
【００８６】
さらにこのテレビジョン放送システム６０では、中継装置としてのビデオレコーダ６４からインターネット網６５を介してテレビジョン番組を映像表示装置としてのビデオプレーヤ６６へ転送し、当該ビデオプレーヤ６６によりその映像をユーザに視聴させるようになされている。
【００８７】
ビデオレコーダ６４は、ビデオレコーダ４（図１）の構成に加えて通信回路３８が設けられている。通信回路３８は、バス３１及びインターネット網６５に接続されており、記憶部３５に記憶した映像データを、当該インターネット網６５を介してビデオプレーヤ６６へ転送し得るようになされている。
【００８８】
因みにビデオレコーダ６４は、操作部３２を介したユーザの操作、又はインターネット網６５を介したビデオプレーヤ６６からの要求に応じて、当該映像データをビデオプレーヤ６６へ転送するようになされている。
【００８９】
ビデオプレーヤ６６は、例えばコンピュータ装置や携帯型ゲーム装置、或いは携帯電話機等でなり、通信機能及び映像表示機能を有している。
【００９０】
ビデオプレーヤ６６は、第１の実施の形態におけるテレビジョン装置３の受信回路２３に代えて通信回路７３が設けられたような構成を有している。すなわちビデオプレーヤ６６は、制御部２０、操作部２２、映像処理回路２４、表示パネル２５及び時計回路２６とそれぞれ対応する制御部７０、操作部７２、映像処理回路７４、表示パネル７５及び時計回路７６を有している。
【００９１】
実際上、ビデオプレーヤ６６は、操作部７２を介して映像データの選択等のユーザによる操作を受け付け、インターネット網６５を介し通信回路７３により映像データを取得し、これを映像処理回路７４へ供給する。
【００９２】
映像処理回路７４は、映像データに対して所定の復号化処理等を施すことにより表示用の表示映像データを作成し、これを表示パネル７５へ供給する。表示パネル７５は、例えば液晶パネル等でなり、表示映像データに基づいた映像を表示する。
【００９３】
このときビデオプレーヤ６６は、テレビジョン装置３（図１）と同様に現在時刻を表し時刻映像データを用いて作成した時刻映像を映像内に表示する他、ユーザの好みに合わせた時刻映像を表示し得るようにもなされている。
【００９４】
さらにビデオレコーダ６４は、操作部３２を介したユーザの操作等に基づき、記憶部３５に記憶した時刻映像データを変更し得るようになされている。この場合、ビデオレコーダ６４は、例えばインターネット網６５を介して他のサーバ等（図示せず）から取得した時刻映像データや、記憶部３２に既に記憶している他の時刻映像データを変更後の時刻映像データとすることができる。
【００９５】
（２−２）放送装置、ビデオレコーダ及びビデオプレーヤの機能構成
次に、テレビジョン放送システム６０の放送装置２、ビデオレコーダ６４及びビデオプレーヤ６６について、現時刻を含む映像の表示に関する機能をブロック化すると、図２及び図４との対応部分に同一符号を付した図８のように表すことができる。
【００９６】
因みにビデオレコーダ６４内の各機能は、主に制御部３０、操作部３２、映像処理回路３４及び記憶部３５（図７）の組み合わせにより実現している。またビデオプレーヤ６６内の各機能は、主に制御部７０、操作部７２、映像処理回路７４、表示パネル７５及び時計回路７６の組み合わせにより実現している。
【００９７】
ビデオレコーダ６４によりテレビジョン番組の記録を行う場合、第１の実施の形態と同様に、本映像保存データＤＳ及び時刻映像データＤＴを互いに対応付け映像保存メディア５８に保存する。さらに時刻映像データ変更処理部５９は、ユーザの操作等に応じて映像保存メディア５８の時刻映像データＤＴを変更する。
【００９８】
一方、ビデオプレーヤ６６によりテレビジョン番組の再生を行う場合、第１の実施の形態におけるビデオレコーダ４（図４）と同様、映像合成処理部５２は、映像保存メディア５８から本映像保存データＤＳを取得し、これに所定の復号化処理等を施すことにより本映像ＶＭを作成する。
【００９９】
時計５５は、現時刻情報ＴＩを作成し、これを現時刻映像作成部５４へ供給する。現時刻映像作成部５４は、現時刻情報ＴＩを基に、現時刻の表示に用いる時刻映像データＤＴを映像保存メディア５８から取得する。
【０１００】
続いて現時刻映像作成部５４は、時刻映像データＤＴを用いて現時刻映像ＶＰ（図３（Ｃ））を作成し、現時刻映像ＶＰを表す現時刻映像データＤＰを映像合成処理部５２へ供給する。
【０１０１】
映像合成処理部５２は、本映像ＶＭに現時刻映像ＶＰを重畳することにより合成映像ＶＣ（図３（Ｄ））を作成し、当該合成映像ＶＣを表す合成映像データＤＣを映像表示部５６へ供給する。映像表示部５６は、合成映像データＤＣを基に合成映像ＶＣを表示する。
【０１０２】
この結果、ビデオプレーヤ６６は、ビデオレコーダ６４の映像保存メディア５８から取得した本映像保存データＤＳ及び時刻映像データＤＴを用い、現時刻を表す現時刻映像ＶＰを本映像ＶＭ上に重畳して表示することができる。
【０１０３】
このときビデオプレーヤ６６は、時計５５により保持されている現時刻を基に作成した現時刻映像ＶＰを映像内に表示することができるので、第２の実施の形態におけるビデオレコーダ４と同様に、テレビジョン番組が放送された時刻と当該テレビジョン番組を再生する時刻との異同に拘わらず、正しい時刻を表すと共に時刻映像データＤＴに基づくデザインでなる現時刻映像ＶＰを映像内に表示することができる。
【０１０４】
（２−３）動作及び効果
以上の構成において、テレビジョン放送システム６０では、第１の実施の形態におけるテレビジョン放送システム１と同様に、ビデオレコーダ４により付加映像データＤＡを受信し、当該付加映像データＤＡから抽出した本映像データＤＭを本映像保存データＤＳに変換して、当該付加映像データＤＡから抽出した時刻映像データＤＴと共に記憶部３５に記録する。
【０１０５】
ビデオプレーヤ６６は、ビデオレコーダ６４により記録されたテレビジョン番組を再生する際、当該ビデオレコーダ６４の記憶部３５に記憶されている本映像保存データＤＳ及び時刻映像データＤＴをインターネット網６５経由で取得する。
【０１０６】
さらにビデオプレーヤ６６は、時刻映像データＤＴと時計回路７６により保持している現時刻とを基に現時刻映像ＶＰを作成すると共に、本映像保存データＤＳを用いて本映像ＶＭを作成し、当該本映像ＶＭに現時刻映像ＶＰを重畳した合成映像ＶＣを作成し、当該合成映像ＶＣを表示パネル７５に表示する。
【０１０７】
従ってビデオプレーヤ６６は、第１の実施の形態におけるテレビジョン装置３及びビデオプレーヤ４と同様に、時刻映像データＤＴに基づくデザインでなり、且つ現時刻に基づいた正しい時刻を表す現時刻映像ＶＰを本映像ＶＭ上に重畳して表示することができる。
【０１０８】
このときビデオプレーヤ６６は、時計回路７６により保持されている現時刻を基に現時刻映像ＶＰを作成するため、テレビジョン番組が放送された時刻と再生される時刻とが異なっていたとしても、第１の実施の形態におけるビデオレコーダ４と同様、正しい時刻を表す現時刻をユーザに視認させることができる。
【０１０９】
すなわちビデオプレーヤ６６は、放送装置２から放送波を直接受信することができないものの、テレビジョン番組を表す本映像保存データＤＳ及び時刻映像データＤＴをビデオレコーダ６４から取得することにより、現時刻が反映された合成映像ＶＣを作成してユーザに見せることができる。
【０１１０】
さらにビデオプレーヤ６６は、ビデオレコーダ６４においてユーザの操作等に基づいて変更された時刻映像データを基に現時刻映像ＶＰを作成するため、ユーザの好みにあったデザインでなる現時刻映像ＶＰを本映像ＶＭに重畳することができる。
【０１１１】
その他、ビデオプレーヤ６６は、第１の実施の形態におけるビデオレコーダ４と同様の作用効果を奏することができる。
【０１１２】
以上の構成によれば、テレビジョン放送システム６０では、テレビジョン番組の放送時に放送装置２から本映像データＤＭに時刻映像データＤＴを付加した付加映像データＤＡを放送し、ビデオレコーダ６４により当該付加映像データＤＡを受信して本映像保存データＤＳ及び時刻映像データＤＴとして記憶した後、インターネット網６５を介してビデオプレーヤ６６により当該本映像保存データＤＳ及び時刻映像データＤＴを取得し、本映像保存データＤＳを用いて作成した本映像ＶＭに対し、時刻映像データＤＴ及び現時刻を基に作成した現時刻映像ＶＰを重畳した合成映像ＶＣを表示することにより、時刻映像データＤＴに基づくデザインでなり、且つ現時刻に基づいた正しい時刻を表す現時刻映像ＶＰを本映像ＶＭ上に重畳して表示することができる。
【０１１３】
（３）第３の実施の形態
（３−１）コンテンツ配信システムの全体構成
図７との対応部分に同一符号を付して示す図９において、コンテンツ配信システム９０は、第１及び第２の実施の形態における放送装置２と対応する映像データ供給装置としての配信サーバ９１からインターネット網６５を介して映像コンテンツを配信し、第２の実施の形態におけるビデオレコーダ６４と対応する中継装置としてのクライアント装置９２により当該映像コンテンツを受信するようになされている。
【０１１４】
さらにクライアント装置９２は、受信した映像コンテンツをリムーバブルメディアＲＭに記録し、第２の実施の形態におけるビデオプレーヤ６６と対応する映像表示装置としてのコンテンツプレーヤ９３に当該リムーバブルメディアＲＭを実装することにより当該映像コンテンツを再生し得るようになされている。
【０１１５】
因みにリムーバブルメディアＲＭとしては、例えばメモリースティック（ソニー株式会社の登録商標）等のような小型の半導体メモリを用いることができる。
【０１１６】
配信サーバ９１は、放送装置２（図１、図７）と同様、ＣＰＵ構成でなる制御部１００により全体を統括制御するようになされている。この制御部１００は、図示しないＲＯＭから基本プログラムや時刻映像データ付加プログラム等の各種プログラムを読み出して実行することにより、各種機能を実現し得るようになされている。
【０１１７】
映像処理回路１０１は、外部の映像機器（図示せず）から映像コンテンツを表す映像データの供給を受け、又は予め記憶装置（図示せず）に格納された映像データを読み出し、当該映像データを通信１０２供給する。通信回路１０２は、供給された映像データに対して所定のパケット化処理等を施し、これをインターネット網６５へ配信する。
【０１１８】
このとき配信サーバ９１は、複数種類の時刻映像データを映像データと共に配信するようになされている（詳しくは後述する）。
【０１１９】
クライアント装置９２は、配信サーバ９１と同様、ＣＰＵ構成でなる制御部１１０によりバス１１１を介して全体を統括制御するようになされている。この制御部１１０も、制御部１００と同様、図示しないＲＯＭから基本プログラムや映像コンテンツ受信プログラム等の各種プログラムを読み出して実行することにより、各種機能を実現するようになされている。
【０１２０】
実際上、クライアント装置９２は、操作部１１２を介して映像コンテンツ選択等のユーザによる操作を受け付け、インターネット網６５を介して通信回路１１３によりコンテンツを受信し、リムーバブルメディアドライブ１１５を介して当該映像コンテンツをリムーバブルメディアＲＭに記録する。
【０１２１】
コンテンツプレーヤ９３は、第２の実施の形態におけるビデオプレーヤ６６と一部類似した構成を有している。コンテンツプレーヤ９３は、映像コンテンツが記録されたリムーバブルメディアＲＭがリムーバブルメディアドライブ７８に実装されると、操作部７２を介したユーザの操作等に基づき、当該リムーバブルメディアＲＭから映像コンテンツの映像データを読み出し、これを映像処理回路７４へ供給する。
【０１２２】
映像処理回路７４は、映像データに対して所定の復号化処理等を施すことにより表示用の表示映像データを作成し、これを表示パネル７５へ供給する。表示パネル７５は、表示映像データに基づいた映像を表示する。
【０１２３】
かかる構成に加えて制御部７０は、映像データと共に記録されている複数種類の時刻映像データのうち、ユーザに選択された時刻映像データを用いた時刻映像を映像内に表示し得るようになされている（詳しくは後述する）。
【０１２４】
（３−２）放送装置、ビデオレコーダ及びビデオプレーヤの機能構成
次に、コンテンツ配信システム９０の配信サーバ９１、クライアント装置９２及びコンテンツプレーヤ９３について、現時刻を含む映像の表示に関する機能をブロック化すると、図２、図４及び図８との対応部分に同一符号を付した図１０のように表すことができる。
【０１２５】
因みに配信サーバ９１内の各機能は、主に制御部１００、映像処理回路１０１及び通信回路１０２の組み合わせにより実現している。またコンテンツプレーヤ９３内の各機能は、主に制御部７０、操作部７２、映像処理回路７４、表示パネル７５、時計回路７６及びリムーバブルメディアドライブ７８の組み合わせにより実現している。
【０１２６】
配信サーバ９１は、第１及び第２の実施の形態における放送装置２（図２、図４及び図８）と一部同様の機能構成を有しており、映像データ処理部４１により、外部機器又は記憶部（いずれも図示せず）から映像コンテンツの映像を表す映像データＤＭを取得し、これを付加処理部４２へ供給する。
【０１２７】
また時刻映像データ処理部４３Ａ、４３Ｂ、…、４３Ｘはそれぞれ異なるデザインでなる時刻映像データＤＴを有しており、各時刻映像データＤＴを付加処理部４２へ供給する。付加処理部４２は、映像データＤＭに複数種類の時刻映像データＤＴを付加することにより付加映像データＤＡを作成し、これをクライアント装置９２へ供給する。
【０１２８】
クライアント装置９２は、付加映像データＤＡを受信すると、リムーバブルメディアＲＭを介してこれをコンテンツプレーヤ９３の抽出処理部５１へ供給する。
【０１２９】
抽出処理部５１は、付加映像データＤＡから本映像データＤＭを抽出し映像合成処理部５２へ供給する。また抽出処理部５１は、当該付加映像データＤＡから複数種類の時刻映像データＤＴをそれぞれ抽出し、時刻映像データ保存部５３Ａ、５３Ｂ、…、５３Ｘへそれぞれ供給する。時刻映像データ保存部５３Ａ、５３Ｂ、…、５３Ｘは、それぞれ時刻映像データＤＴを一時的に保存する。
【０１３０】
一方、時計５５は、現時刻を表す現時刻情報ＴＩを作成し、これを現時刻映像作成部５４へ供給する。また時刻映像データ選択部１１１は、ユーザの操作等に基づき時刻映像データ保存部５３Ａ、５３Ｂ、…、５３Ｘの一つを選択して時刻映像データＤＴを取得し、これを現時刻映像作成部５４へ供給する。
【０１３１】
現時刻映像作成部５４は、現時刻情報ＴＩ及び時刻映像データＤＴを基に現時刻を映像化した現時刻映像ＶＰを作成し、当該現時刻映像ＶＰを表す現時刻映像データＤＰを映像合成処理部５２へ供給する。
【０１３２】
映像合成処理部５２は、本映像データＤＭに対し所定の復号化処理等を施すことにより本映像ＶＭを作成する。次に映像合成処理部５２は、本映像ＶＭに現時刻映像ＶＰを重畳したような合成映像ＶＣを作成し（図３（Ｄ））、当該合成映像ＶＣを表す合成映像データＤＣを映像表示部５６へ供給する。映像表示部５６は、合成映像データＤＣを基に合成映像ＶＣを表示する。
【０１３３】
この結果、コンテンツプレーヤ９３は、第２の実施の形態におけるビデオプレーヤ６６と同様、時計５５により保持されている現時刻に基づいた正しい時刻を表し、且つ時刻映像データＤＴに基づくデザインでなる現時刻映像ＶＰを本映像ＶＭ上に重畳して表示することができる。
【０１３４】
このときコンテンツプレーヤ９３は、本映像データＤＭと共に供給される複数種類の時刻映像データＤＴのうちユーザに選択された、すなわち当該ユーザの好みにあった時刻映像データＤＴを用いて現時刻映像ＶＰを作成し、表示することができる。
【０１３５】
（３−３）動作及び効果
以上の構成において、コンテンツ配信システム９０は、時刻の映像が含まれていない本映像データＤＭに時刻映像データＤＴを付加した付加映像データＤＡを映像コンテンツとして配信サーバ９１から配信し、これをクライアント装置９２により受信する。
【０１３６】
クライアント装置９２は、受信した付加映像データＤＡをリムーバブルメディアＲＭに記録する。コンテンツプレーヤ９３は、このリムーバブルメディアＲＭが装着されると、付加映像データＤＡに含まれる複数種類の時刻映像データＤＴのうちユーザに選択された時刻映像データＤＴと時計回路７６により保持している現時刻とを基に現時刻映像ＶＰを作成する。
【０１３７】
続いてコンテンツプレーヤ９３は、付加映像データＤＡから抽出した本映像データＤＭを用いて本映像ＶＭを作成し、当該本映像ＶＭに現時刻映像ＶＰを重畳した合成映像ＶＣを作成して、当該合成映像ＶＣを表示パネル７５に表示する。
【０１３８】
従ってコンテンツプレーヤ９３は、時刻映像データＤＴに基づくデザインでなり、且つ現時刻に基づいた正しい時刻を表す現時刻映像ＶＰを本映像ＶＭ上に重畳して表示することができる。
【０１３９】
このときコンテンツプレーヤ９３は、予め映像コンテンツの制作者により映像にふさわしいものとして本映像データＤＭに付加された複数種類の時刻映像データＤＴのうち、さらにユーザに選択された時刻映像データＤＴに基づいて現時刻映像ＶＰを作成する。これによりコンテンツプレーヤ９３は、本映像ＶＭとの違和感が無く、かつユーザの好みが反映された現時刻映像ＶＰを表示することができる。
【０１４０】
またコンテンツプレーヤ９３は、配信サーバ９１から映像コンテンツの配信を直接受けることができないものの、クライアント装置９２及びリムーバブルメディアＲＭを介することにより、当該映像コンテンツを取得することができる。この結果、コンテンツプレーヤ９３は、現時刻が反映された合成映像ＶＣを作成してユーザに見せることができる。
【０１４１】
その他、コンテンツプレーヤ９３は、第１の実施の形態におけるビデオレコーダ４と同様の作用効果を奏することができる。
【０１４２】
以上の構成によれば、コンテンツ配信システム９０では、映像コンテンツの配信時に配信サーバ９１から本映像データＤＭに複数種類の時刻映像データＤＴを付加した付加映像データＤＡを配信し、クライアント装置９２により当該付加映像データＤＡを受信してリムーバブルメディアＲＭに記録し、当該リムーバブルメディアＲＭが装填されたコンテンツプレーヤ９３により本映像データＤＭ及び複数種類の時刻映像データＤＴを読み出し、本映像データＤＭを用いて作成した本映像ＶＭに対し、ユーザに選択された時刻映像データＤＴ及び現時刻を基に作成した現時刻映像ＶＰを重畳した合成映像ＶＣを表示することにより、ユーザの好みに合う時刻映像データＤＴに基づいたデザインでなり、且つ現時刻に基づいた正しい時刻を表す現時刻映像ＶＰを本映像ＶＭ上に重畳して表示することができる。
【０１４３】
（４）第４の実施の形態
（４−１）テレビジョン放送システムの全体構成
図１との対応部分に同一符号を付して示す図１１において、テレビジョン放送システム１２０は、第１の実施の形態における放送装置２とほぼ同様の構成でなる映像データ供給装置としての放送装置２と、第１の実施の形態におけるテレビジョン装置３と一部同様の構成を有する映像表示装置としてのテレビジョン装置１２３とにより構成されている。
【０１４４】
放送装置２は、映像データを放送波として送信する際、当該映像データに時刻映像データを付加することに加え、音声告知のタイミングを示す音声告知トリガも当該映像データに付加するようになされている（詳しくは後述する）。
【０１４５】
テレビジョン装置１２３は、テレビジョン装置３（図１）と同様の構成に加え、音声処理回路２８及びスピーカ２９が設けられている。受信回路２３は、音声告知トリガを受信すると、これを音声処理回路２８へ供給する。
【０１４６】
音声処理回路２８は、時計回路２６により保持されている現時刻を基に、当該現時刻を音声化した現時刻音声ＡＰを作成し、これをスピーカ２９へ供給することにより当該現時刻音声ＡＰを放音するようになされている。
【０１４７】
（４−２）放送装置及びテレビジョン装置の機能構成
次に、テレビジョン放送システム１２０の放送装置２及びテレビジョン装置１２３について、現時刻を含む映像の表示に関する機能をブロック化すると、図２との対応部分に同一符号を付した図１２のように表すことができる。
【０１４８】
因みに放送装置２内の各機能は、主に制御部１０、映像処理回路１１及び送信回路１２（図１）の組み合わせにより実現している。またテレビジョン装置１２３内の各機能は、主に制御部２０、受信回路２３、映像処理回路２４、表示パネル２５、時計回路２６、音声処理回路２８及びスピーカ２９の組み合わせにより実現している。
【０１４９】
放送装置２の映像データ処理部４１は、第１の実施の形態と同様、外部機器又は記憶部（いずれも図示せず）から本映像データＤＭを取得し、これを付加処理部４２へ供給する。
【０１５０】
時刻映像データ処理部４３は、時刻映像データＤＴを付加処理部４２へ供給すると共に、音声により時刻を告知する際に映像内に表示する時刻告知映像データＤＨを付加処理部４２へ供給する。
【０１５１】
また映像データ処理部４１は、第１の実施の形態とは異なり、テレビジョン番組中において音声により時刻を告知すべきタイミングになると、その旨を音声告知トリガ処理部４４へ通知する。これに応じて音声告知トリガ処理部４４は、音声告知トリガＴＧを作成して付加処理部４２へ供給する。
【０１５２】
付加処理部４２は、映像データＤＴに連続的に付されるタイムスタンプ等を用い、当該映像データＤＴのうち所定のタイミングに当該音声告知トリガＴＧを対応付け、さらに時刻映像データＤＴ及び時刻告知映像データＤＨを付加することにより付加映像データＤＡを作成し、これを放送波によりテレビジョン装置１２３へ供給する。
【０１５３】
テレビジョン装置１２３の抽出処理部５１は、放送装置２から付加映像データＤＡを取得すると、当該付加映像データＤＡから本映像データＤＭを抽出し映像合成処理部５２へ供給する。また抽出処理部５１は、当該付加映像データＤＡから時刻映像データＤＴ及び時刻告知映像データＤＨを抽出し時刻映像データ保存部５３へ供給する。時刻映像データ保存部５３は、当該時刻映像データＤＴ及び時刻告知映像データＤＨを一時的に保存する。
【０１５４】
一方、時計５５は、現時刻を表す現時刻情報ＴＩを現時刻映像作成部５４へ供給する。現時刻映像作成部５４は、現時刻情報ＴＩを基に、現時刻の表示に用いる時刻映像データＤＴを時刻映像データ保存部５３から取得する。
【０１５５】
続いて現時刻映像作成部５４は、時刻映像データＤＴを用いて現時刻を映像化した現時刻映像ＶＰ（図３（Ｃ））を作成し、現時刻映像ＶＰを表す現時刻映像データＤＰを映像合成処理部５２へ供給する。
【０１５６】
映像合成処理部５２は、まず本映像データＤＭに対し所定の復号化処理等を施すことにより本映像ＶＭを作成する。次に映像合成処理部５２は、本映像ＶＭに現時刻映像ＶＰを重畳した合成映像ＶＣ（図３（Ｄ））を作成し、当該合成映像ＶＣを表す合成映像データＤＣを映像表示部５６へ供給する。映像表示部５６は、合成映像データＤＣを基に合成映像ＶＣを表示する。
【０１５７】
さらに抽出処理部５１は、付加映像データＤＡに音声告知トリガＴＧが含まれていた場合、これを音声告知トリガ検出部１３１へ供給する。音声告知トリガ検出部１３１は、音声告知トリガＴＧの供給を受けると、その旨を時刻音声作成部１３２及び現時刻映像作成部５４へ供給する。
【０１５８】
時刻音声作成部１３２は、告知音声作成指示を受けると、直前に時計５５から取得した現時刻情報ＴＩを基に、現時刻を表す現時刻音声ＡＰを作成し、これをスピーカ１３３へ供給することにより音声として出力させる。
【０１５９】
ここで時刻音声作成部１３２は、例えばテキストを基に音声信号を生成する音声合成処理を行うことにより、現時刻情報ＴＩに基づいた現時刻音声ＡＰを作成することができる。この場合、テレビジョン放送システム１２０では、テレビジョン装置１２３に予め用意された音声データを用いて音声合成を行うのみでなく、例えば付加映像データＤＡに音声合成用の音声データを付加して放送するようにしても良い。
【０１６０】
また現時刻映像作成部５４は、図１３（Ｂ）に示すような時刻告知映像ＶＨを表す時刻告知映像データＤＨを映像合成処理部５２へ供給する。
【０１６１】
映像合成処理部５２は、図１３（Ｃ）に示すように、本映像ＶＭに現時刻映像ＶＰ及び時刻告知映像ＶＨを重畳したような合成映像ＶＣを作成し、当該合成映像ＶＣを表す合成映像データＤＣを映像表示部５６へ供給する。映像表示部５６は、合成映像データＤＣを基に合成映像ＶＣを表示する。
【０１６２】
この結果、テレビジョン装置１２３は、時計５５により保持されている現時刻に基づいた正しい時刻を表し、且つ時刻映像データＤＴに基づくデザインでなる現時刻映像ＶＰを本映像ＶＭ上に重畳して表示し、さらにテレビジョン番組の制作者が意図したタイミングで音声により現時刻を正しく告知することができる。
【０１６３】
（４−３）動作及び効果
以上の構成において、テレビジョン放送システム１２０では、時刻の映像が含まれていない本映像データＤＭに時刻映像データＤＴ及び時刻告知映像データＤＨを付加した付加映像データＤＡを放送装置２から放送し、これをテレビジョン装置１２３により受信する。
【０１６４】
テレビジョン装置１２３は、第１の実施の形態におけるテレビジョン装置３と同様に、受信した付加映像データＤＡから抽出した時刻映像データＤＴと時計回路２６により保持している現時刻とを基に現時刻映像ＶＰを作成し、また付加映像データＤＡから抽出した本映像データＤＭを用いて本映像ＶＭを作成する。そしてテレビジョン装置３は、当該本映像ＶＭに当該現時刻映像ＶＰを重畳した合成映像ＶＣを作成し、当該合成映像ＶＣを表示パネル２５に表示する。
【０１６５】
さらにテレビジョン装置１２３は、付加映像データＤＡに音声告知トリガＴＧが含まれていた場合、音声告知映像ＶＨを本映像ＶＭ上に重畳して表示すると共に、音声処理回路２８（図１１）により現時刻を告知する現時刻音声ＡＰを作成し、これをスピーカ１３３から音声として出力する。
【０１６６】
従ってテレビジョン装置１２３は、時刻映像データＤＴに基づくデザインでなり、且つ現時刻に基づいた正しい時刻を表す現時刻映像ＶＰを本映像ＶＭ上に重畳して表示することができる。
【０１６７】
このときテレビジョン装置１２３は、映像に加えて音声により現時刻を出力することができるので、例えばユーザが映像を注視していないような場合であっても、現時刻を確実にユーザに通知することができる。
【０１６８】
さらにテレビジョン装置１２３は、現時刻を音声により通知する際、音声告知映像ＶＨ（図１３（Ｂ））を表示することにより、現時刻が音声により出力される際の唐突感や違和感の軽減を図ることができる。
【０１６９】
その他、テレビジョン装置１２３は、第１の実施の形態におけるテレビジョン装置３と同様の作用効果を奏することができる。
【０１７０】
以上の構成によれば、テレビジョン放送システム１２０では、テレビジョン番組の放送時に放送装置２から本映像データＤＭに時刻映像データＤＴ及び音声告知トリガＴＧを付加した付加映像データＤＡを放送し、テレビジョン装置１２３により当該付加映像データＤＡを受信し、本映像データＤＭを基に作成した本映像ＶＭに対し、時刻映像データＤＴ及び現時刻を基に作成した現時刻映像ＶＰを重畳し、さらに音声告知トリガＴＧが含まれていた場合、現時刻に基づいた現時刻音声ＡＰを出力すると共に音声告知映像ＶＨを本映像ＶＭ上に重畳した合成映像ＶＣを表示することにより、時刻映像データＤＴに基づくデザインでなり、且つ現時刻に基づいた正しい時刻を表す現時刻映像ＶＰを本映像ＶＭ上に重畳して表示すると共に、音声により現時刻を通知することができる。
【０１７１】
（５）他の実施の形態
なお上述した第１〜第４の実施の形態においては、現時刻映像ＶＰを本映像ＶＭ上に常時重畳して表示するようにした場合について述べたが、本発明はこれに限らず、例えば現時刻映像ＶＰの表示の可否をユーザが指定し、当該指定に応じて現時刻映像ＶＰを表示するか否かを切り換えるようにしても良い。
【０１７２】
また本発明では、現時刻映像ＶＰを表示する時間帯をテレビジョン番組（又は映像コンテンツ）の制作者又はユーザが指定できるようにしても良い。この場合、例えば当該時間帯を「朝７時から夕方５時まで」のように設定することが考えられる。
【０１７３】
さらに本発明では、第３の実施の形態のように複数種類の時刻映像データＤＴを付加映像データＤＡに付加している場合などに、再生される時間帯により時刻映像データＤＴの種類を切り換えるようにしても良い。この場合、時間帯毎に切り換えられる時刻映像データＤＴの種類は、予めテレビジョン番組（又は映像コンテンツ）の制作者が割り当てて種類割当データとして付加されていても良く、またユーザが任意に割り当て若しくは変更するようにしても良い。
【０１７４】
さらに本発明では、現時刻映像ＶＰを表示する位置やその大きさについても、ユーザが任意に変更できるようにしても良い。また本発明では、再生される時間帯により当該現時刻映像ＶＰを表示する位置や大きさを自動的に変更するよう設定できるようにしても良い。
【０１７５】
さらに上述した第１〜第４の実施の形態では、図３（Ｃ）に示したようなディジタル表示でなる現時刻映像ＶＰにより時刻を表すようにした場合について述べたが、本発明はこれに限らず、例えばアナログ方式の時計、すなわち文字盤上を長針及び短針等が回転するような時計の映像でなる現時刻映像ＶＰにより時刻を表すようにしても良い。
【０１７６】
さらに上述した第２の実施の形態においては、ビデオレコーダ６４においてユーザにより時刻映像データＤＴを変更し得るようにした場合について述べたが、本発明はこれに限らず、例えばビデオプレーヤ６６や第１の実施の形態におけるテレビジョン装置３若しくはビデオレコーダ４、又は第３の実施の形態におけるクライアント装置９２若しくはコンテンツプレーヤ９３、又は第４の実施の形態におけるテレビジョン装置１２３等において、ユーザにより時刻映像データＤＴを変更し得るようにしても良い。
【０１７７】
さらに上述した第３の実施の形態においては、配信サーバ９１において付加映像データＤＡに複数種類の時刻映像データＤＴを付加して配信するようにした場合について述べたが、本発明はこれに限らず、例えば第１、第２及び第４の実施の形態における放送装置２等において付加映像データＤＡに複数種類の時刻映像データＤＴを付加して放送するようにしても良い。
【０１７８】
同様に、第３の実施の形態においては、コンテンツプレーヤ９３において複数種類の時刻映像データＤＴのうちユーザに指定された時刻映像データＤＴを用いて現時刻映像ＶＰを作成するようにした場合について述べたが、本発明はこれに限らず、例えば第１の実施の形態におけるテレビジョン装置３若しくはビデオレコーダ４、又は第２の実施の形態におけるビデオレコーダ６４若しくはビデオプレーヤ６６、又は第３の実施の形態におけるクライアント装置９２、又は第４の実施の形態におけるテレビジョン装置１２３等において、複数種類の時刻映像データＤＴのうちユーザに指定された時刻映像データＤＴを用いて現時刻映像ＶＰを作成するようにしても良い。
【０１７９】
さらに上述した第４の実施の形態においては、放送装置２において付加映像データＤＡに音声告知トリガＴＧを付加し、テレビジョン装置１２３において当該音声告知トリガＴＧを検出したタイミングで現時刻音声ＡＰを作成し出力するようにした場合について述べたが、本発明はこれに限らず、例えば第１若しくは第２の実施の形態における放送装置２、又は第３の実施の形態における配信サーバ９１において付加映像データＤＡに音声告知トリガＴＧを付加し、第１の実施の形態におけるビデオレコーダ４、第２の実施の形態におけるビデオレコーダ６４若しくはビデオプレーヤ６６、又は第３の実施の形態におけるクライアント装置９２若しくはコンテンツプレーヤ９３において当該音声告知トリガＴＧを検出したタイミングで現時刻音声ＡＰを作成し出力する等しても良い。
【０１８０】
さらに上述した実施の形態においては、付加部及び供給部としての付加処理部４２によって映像データ供給装置としての放送装置２及び配信サーバ９１を構成する場合について述べたが、本発明はこれに限らず、その他種々の回路構成でなる付加部と、供給部とによって映像データ供給装置を構成するようにしても良い。
【０１８１】
さらに上述した実施の形態においては、取得部及び抽出部としての抽出処理部５１と、時刻取得部としての時計５５と、現時刻映像作成部としての現時刻映像作成部５４と、本映像作成部、映像合成処理部及び表示処理部としての映像合成処理部５２とによって映像表示装置としてのテレビジョン装置３、ビデオレコーダ４、ビデオプレーヤ６６、コンテンツプレーヤ９３及びテレビジョン装置１２３を構成する場合について述べたが、本発明はこれに限らず、その他種々の回路構成でなる取得部と、抽出部と、時刻取得部と、現時刻映像作成部と、本映像作成部と、映像合成処理部と、表示処理部とによって映像表示装置を構成するようにしても良い。
【産業上の利用可能性】
【０１８２】
本発明は、テレビジョン装置やビデオレコーダ、或いは携帯電話機等でも利用できる。
【図面の簡単な説明】
【０１８３】
【図１】第１の実施の形態によるテレビジョン放送システムの全体構成を示す略線図である。
【図２】第１の実施の形態による放送装置及びテレビジョン装置の機能構成を示す略線図である。
【図３】合成映像の例（１）を示す略線図である。
【図４】第１の実施の形態による放送装置及びビデオレコーダの機能構成を示す略線図である。
【図５】放送装置による映像データ供給処理手順を示すフローチャートである。
【図６】テレビジョン装置による映像表示処理手順を示すフローチャートである。
【図７】第２の実施の形態によるテレビジョン放送システムの全体構成を示す略線図である。
【図８】第２の実施の形態による放送装置、ビデオレコーダ及びビデオプレーヤの機能構成を示す略線図である。
【図９】第３の実施の形態によるコンテンツ配信システムの全体構成を示す略線図である。
【図１０】第３の実施の形態による配信サーバ、クライアント装置及びコンテンツプレーヤの機能構成を示す略線図である。
【図１１】第４の実施の形態によるテレビジョン放送システムの全体構成を示す略線図である。
【図１２】第４の実施の形態による放送装置及びテレビジョン装置の機能構成を示す略線図である。
【図１３】合成映像の例（２）を示す略線図である。
【符号の説明】
【０１８４】
１、６０、１２０……テレビジョン放送システム、２……放送装置、３、１２３……テレビジョン装置、４、６４……ビデオレコーダ、１０、２０、３０、７０、１００、１１０……制御部、１１、２４、３４、７４、１０１……映像処理回路、１２……送信回路、２３、３３……受信回路、２５、７５……表示パネル、２６、３６、７６……時計回路、４２……付加処理部、５１……抽出処理部、５２……映像合成処理部、５４……現時刻映像作成部、５５……時計、５６……映像表示部、６５……インターネット網、７３、１０２、１１３……通信回路、９１……配信サーバ、９２……クライアント装置、９３……コンテンツプレーヤ。
【図１】
2009049768.tif 000003
【図２】
2009049768.tif 000004
【図３】
2009049768.tif 000005
【図４】
2009049768.tif 000006
【図５】
2009049768.tif 000007
【図６】
2009049768.tif 000008
【図７】
2009049768.tif 000009
【図８】
2009049768.tif 000010
【図９】
2009049768.tif 000011
【図１０】
2009049768.tif 000012
【図１１】
2009049768.tif 000013
【図１２】
2009049768.tif 000014
【図１３】
2009049768.tif 000015